(57)【特許請求の範囲】
【請求項１】
動画カードの作成を制御するプログラム及び、複数のフレーム動画データを記憶する記憶手段と、
操作者により選択される、前記複数のフレーム動画データの内の一つを前記記憶手段から読み出し入力する入力手段と、
撮影像のデジタル動画像を生成するデジタル画像生成手段と、
制御手段を有し、
前記記憶手段に記憶された、前記動画カードの作成を制御するプログラムにより、前記制御手段を、前記入力手段により入力された一つのフレーム動画データを構成する複数駒のフレーム画の各々の駒に、前記デジタル画像生成手段により生成される撮影像のデジタル動画像をはめ込み、前記複数駒分の合成画像の作成を行う画像合成手段として機能させ、更に、
前記画像合成された複数駒分の合成画像を短冊状にして交互に配列される画像をレンチキュラーレンズの裏面に形成して前記動画カードを作成する出力手段
を有することを特徴とする動画カード作成装置。
【請求項２】
更に、前記出力手段は、前記作成された複数駒分の合成画像を短冊状にして交互に配列される画像を前記レンチキュラーレンズの裏面に直接印刷するプリンタを有することを特徴とする請求項１に記載の動画カード作成装置。
【請求項３】
前記出力手段は、前記作成された複数駒分の合成画像を短冊状にして交互に配列される画像を所定の用紙に印刷し、該印刷された所定の用紙を前記レンチキュラーレンズの裏面に対応付けて前記動画カードを作成することを特徴とする請求項１に記載の動画カード作成装置。
【請求項４】
前記撮影像のデジタル動画像を生成するデジタル画像生成手段は、動画カード作成装置本体に備えられる撮影カメラであることを特徴とする請求項１に記載の動画カード作成装置。
【請求項５】
前記撮影像のデジタル動画像を生成するデジタル画像生成手段は、動画カード作成装置本体から独立したデジタルカメラによって撮影された画像データを記憶する記憶媒体であることを特徴する請求項１に記載の動画カード作成装置。
【請求項６】
更に、前記画像合成手段として機能する制御手段により、前記入力された複数駒のフレーム画にはめ込まれる撮影像のデジタル動画像は、前記デジタル画像生成手段により生成された所定時間分の画像のうち前記複数駒分に対応する、操作者により特定された連続する駒数分の時間幅の画像であることを特徴とする請求項１に記載の動画カード作成装置。
【請求項７】
更に、前記画像合成手段として機能する制御手段により、前記入力された複数駒のフレーム画にはめ込まれる画像は、前記デジタル画像生成手段により生成された所定時間分の画像のうち前記複数駒分に対応する、操作者により指示されたスタートフレームおよびストップフレームの期間中に含まれる駒数分の画像であることを特徴とする請求項１に記載の動画カード作成装置。
【請求項８】
更に、前記画像合成手段として機能する制御手段により、前記選択された複数駒のフレーム動画にはめ込まれる画像は、前記デジタル画像生成手段により生成された所定時間分の画像のうち前記複数駒分に対応する、操作者により特定された任意の駒の画像であることを特徴とする請求項１に記載の動画カード作成装置。
【請求項９】
更に、前記画像合成手段として機能する制御手段により、前記選択された複数駒のフレーム画にはめ込まれる画像は、該選択された複数駒に対応する駒毎に前記撮影カメラで撮影された画像であることを特徴とする請求項４に記載の動画カード作成装置。
【請求項１０】
前記選択された複数駒に対応する駒毎に撮影された画像は、連続して再生されることにより動画像の確認を行うことを特徴とする請求項９に記載の動画カード作成装置。
【請求項１１】
前記動画カード作成を制御するプログラム、複数の動画データを記憶する記憶手段は、動画カード作成装置本体に着脱自在に挿入されるメモリカートリッジであることを特徴とする請求項１に記載の動画カード作成装置。
【請求項１２】
動画カード作成を制御するプログラムを記憶した記憶媒体であって、
前記プログラムの実行により、
操作者により選択される複数のフレーム動画データの内の一つを、入力手段に入力可能とさせ、
撮影像のデジタル動画像を、デジタル画像生成手段に生成させ、
前記入力手段により入力された一つのフレーム動画データを構成する複数駒のフレーム画の各々の駒に、前記撮像手段により生成される撮影像のデジタル動画像をはめ込み、前記複数駒分の合成画像の作成を、制御手段に行わせ、
前記作成された複数駒の合成画像を短冊状にして交互にレンチキュラーレンズの裏面に、プリンタにより印刷させる、
動画カード作成を制御するプログラムを記憶した記憶媒体。
【請求項１３】
記憶媒体に、動画カードの作成を制御するプログラム及び、複数のフレーム動画データを記憶させる工程と、
入力手段に、前記記憶媒体に記憶された複数のフレーム動画データから、操作者により選択される複数のフレーム動画データの内の一つを入力させる工程と、
撮像手段に、撮影像のデジタル動画像を生成させる工程と、
前記入力手段により入力された一つのフレーム動画データを構成する複数駒のフレーム画の各々の駒に、前記撮像手段により生成される撮影像のデジタル動画像をはめ込み、前記複数駒分の合成画像の作成を、制御手段に行わせる工程と、
プリンタに、前記作成された複数駒分の合成画像を短冊状にして交互に配列される画像をレンチキュラーレンズの裏面に形成して動画カードを作成させる工程を、
有することを特徴とする動画カード作成方法。
【発明の詳細な説明】
技術分野
本発明は、レンチキュラーシートを用いた動画カード及び、動画カードの作成装置及び、これに用いる記憶媒体に関する。さらに、合成樹脂製等の厚手のシートに切り込みを設け、個々の動画カードに分離容易とするための、切り込み形成方法及び、切り込み形成装置に関する。
背景技術
近年ゲーム感覚で写真を撮影し、短時間で出力される写真画像を印刷したシールを交換しあい、あるいはメモとして保存するために利用されている。かかる写真シールを自動作成販売する装置が広く普及している。
しかし、これまでの写真シール作成装置は、同じ一つの静止画像を複数の小さなシール状に分割可能にして１枚のシートにプリントアウトして顧客に提供するものであった。
一方、近年のマルチメディア技術の一般社会への普及に伴って、写真シール作成装置による静止画像のみをプリントアウトしたシートの提供では、若年層の興味を維持することは、状況により困難となる恐れもある。従って、簡易な形態で、且つより興味を引き付ける物品の提供が望まれる。
発明の開示
かかる観点から、本発明の目的は、動画像をプリントアウトしたカードの自動発行を行う動画カードの作成装置、これに用いる記憶媒体更に、動画カードの作成方法を提供することにある。
更に、本発明の目的は、顧客即ち、操作者自身による操作によって簡易に顧客の満足度を得られる動画像を保持する動画カードの作成装置、これに用いる記憶媒体及び、動画カードの作成方法を提供することにある。
また、本発明の目的は、携帯に便利なカードに動画像をプリントアウトして顧客に提供可能とする動画カード作成装置及びこれに用いる記憶媒体を提供することにある。
さらに、本発明の目的は、上記動画カードをレンチキュラーレンズシートで形成し、且つ個々の動画カードに分離容易とするための、切り込み形成方法及び、切り込み形成装置を提供することにある。
したがって、上記課題を達成する本発明に従う動画カード作成装置の基本構成は、動画カードの作成を制御するプログラム及び、複数のフレーム動画データを記憶する記憶手段と、操作者により、この複数のフレーム動画データの内の１つを選択して、入力する入力手段と、デジタル画像生成手段と、記憶手段から前記動画カードの作成を制御するプログラムを読み出し実行し、且つ入力手段により選択された一つのフレーム動画データを構成する複数駒のフレーム画に、前記デジタル画像生成手段により生成された画像をはめ込み、複数駒分の合成画像の作成を制御する制御手段と、作成された複数駒分の合成画像を短冊状にして交互に配列される画像をレンチキュラーレンズの裏面に形成して該動画カードを作成することを特徴とする。かかる構成により、本発明に従う動画カードを作成する装置が実現可能である。
更に、上記一の態様として本発明に従う動画カード作成装置は、前記作成された複数駒分の合成画像を短冊状にして交互に配列される画像を前記レンチキュラーレンズの裏面に直接印刷するプリンタを有することを特徴とする。これによりレンチキュラーレンズの裏面に合成画像を短冊状にして交互に配列される画像が直接印刷されるので、動画カードが薄く且つ少ない工数で製作可能である。
また、他の構成として、前記作成された複数駒分の合成画像を短冊状にして交互に配列される画像を所定の用紙に印刷し、この印刷された所定の用紙を前記レンチキュラーレンズの裏面に対応付けて前記動画カードを作成することを特徴とする。このように、レンチキュラーレンズとは別個の用紙に合成画像を短冊状にして交互に配列される画像を印刷するものとすれば、レンチキュラーレンズの裏面に印刷する特別のプリンタを使用する必要がない。
更にまた、本発明の前記課題は、一定形状のカードを載置するカードトレイと、切り込み刃を有する切り込み形成部と、切り込み形成部に該カードトレイが挿入されたことを検出すると、前記切り込み刃をカードトレイに載置されたカードの厚み分より近づけて、カードに切り込みを形成することを制御する制御部を有する切り込み形成装置によって達成される。
一態様として、前記切り込み刃は、上下に対峙する上刃と下刃を有することを特徴とする。さらにまた、前記切り込み形成手段の上刃と下刃が、前記カードトレイに載置されたカードを介して対向する最小至近距離は、約０．１ｍｍであることを特徴とする。
かかる切り込み形成装置を本発明の動画カード作成装置に適用することにより撮影像をカードに小片に分割して印刷でき、且つ小片毎に分離し易いように切り込みを形成することが可能の切り込み形成装置及びこれを内蔵した動画カード作成装置が提供可能である。
本発明の更なる目的及び、特徴は以下の図面を参照しての発明の実施の形態の詳細な説明から明らかとなる。
【図面の簡単な説明】
図１は、本発明の動画カード作成装置の外観図である。
図２は、図１の動画カード作成装置の構成例ブロック図である。
図３は、本体装置回路ボード１０の一構成を示すブロック図である。
図４は、記憶媒体としてのメモリカートリッジの構成例を示す図である。
図５Ａ乃至５Ｃは、本発明に使用されるレンチキュラーレンズの動作を説明する図である。
図６Ａ乃至６Ｄは、本発明の動画カード作成原理を説明する図である。
図７Ａ、７Ｂは、本発明に使用されるレンチキュラーレンズを有するシート用のプリンタの動作を説明する図である。
図８は、図７Ａ、７Ｂのプリンタにより印刷される状態を説明する図である。
図９は、本発明の動画カード作成装置の動作フロー図である。
図１０は、図９の動作フローにおけるフレーム選択のステップを説明する図である。
図１１Ａ乃至１１Ｆは、動画フレームの一例である。
図１２Ａ乃至１２Ｆは、動画フレームの他の一例である。
図１３は、選択された動画フレームの再生画面を示す図である。
図１４Ａ乃至１４Ｃは、図９の動作フローにおける画像取り込み（ステップＳ４）の表示される開始メッセージの例である。
図１５Ａ、１５Ｂは、図１４Ａの開始メッセージに従う動画像取り込み中、ディスプレーに表示される画面を示す図である。
図１６Ａ、１６Ｂは、図１４Ａの開始メッセージに従う動画像取り込み結果のディスプレーに表示される確認される画面を示す図である。
図１７Ａ乃至１７Ｄは、図１８Ｂを拡大して説明する図である。
図１８は、図１４Ｂの開始メッセージに従う動画像取り込み中、ディスプレーに表示される画面を示す図である。
図１９は、本発明に従う動画カード作成装置の他の一実施の形態例の外観斜視図である。
図２０は、本発明に従う動画カード作成装置により作成される動画カードの一例の平面図である。
図２１は、図１９の実施の形態の動画カード作成装置の構成例のブロック図である。
図２２は、切り込みを入れられた動画カードの平面図である。
図２３は、切り込みを入れられた動画カードから切り込みに沿って、複数のシール状に分離する状態を説明する図である。
図２４は、動画カードに切り込みを入れるための切り込み形成装置の一例の概略側面図である。
図２５は、図２４の切り込み形成装置による切り込みを形成する原理を説明する図である。
図２６は、動画カードに切り込みを入れるための切り込み形成装置の他の例の概略側面図である。
図２７は、図２４の切り込み形成装置による切り込みを形成する原理を説明する図である。
図２８は、切り込み形成装置の制御系の一例ブロック図である。
図２９は、切り込み形成装置の動作フローチャートである。
図３０Ａ乃至３０Ｃは、図１９の実施の形態における動画カード作成装置に適用される切り込み形成装置に向けてカードを挿入するためのカード挿入口機構の一例を説明する図である。
図３１は、切り込み形成装置の一実施例の内部機構の概略斜視図である。
図３２は、図３１の切り込み形成装置の内部機構の側面詳細図である。
図３３は、図３１の切り込み形成装置の内部機構の上面詳細図である。
図３４は、図３１の切り込み形成装置の内部機構の前面詳細図である。
図３５は、切り込み形成装置の他の実施例の内部機構の概略斜視図である。
図３６は、図３５の切り込み形成装置の内部機構の上面詳細図である。
発明の実施の形態の詳細な説明
以下図面を参照して本発明の実施の形態を説明する。尚、図において、同一または類似のものには同一の参照数字または参照記号を付して説明する。
図１は、本発明の動画カード作成装置の外観図である。図において、装置本体１には、動画カード作成装置の使用案内等を記載した前面表示パネル２が備えられる。
更に、動画カード作成装置は、前面表示パネル２から立ち上がるディスプレー画面３、及び操作パネル４を有し、操作パネル４上に入力及び確認ボタン５及びコイン挿入口６が備えられている。更に、ディスプレー画面３上部に撮影カメラ７及び、前面下方に作成発行された動画カードを取り出すための動画カード取り出し口８が設けられている。
後に説明するように、待機状態において、ディスプレー画面３には、宣伝（アドバタイズ）画面が繰り返して表示されている。コイン挿入口６に所定金額のコインが投入されると、ディスプレー画面３に表示される宣伝（アドバタイズ）画面は、動画カードのフレームの選択画面に切り替えられる。
入力及び確認ボタン５により顧客である操作者自身による動画カードのフレームレイアウトの選択入力が行われる。次いで、撮影カメラ７での撮影及びその撮影画像の確認等が終わり、動画カードの印刷が完了する。印刷が完了した動画カードは、動画カード取り出し口８に排出される。かかる動作の詳細は、後に本体装置回路ボードの構成との関係で更に説明する。
図２は、図１の動画カード作成装置の構成例ブロック図である。動画カード作成装置１の本体装置１に本体装置回路ボード１０が収納されている。本体装置回路ボード１０には、コネクタ１００に動画カード作成用プログラム及びデータを記憶した記憶媒体である、実施例としてメモリカートリッジ１１が着脱可能に挿着される。
更にインタフェース回路１２を通して、動画カードプリンタ１３が接続される。動画カードプリンタ１３には、表面にレンチキュラーレンズを有し、裏面に動画像の印刷が可能な、カード状をなす硬質透明プラスチックシートが複数枚積層可能のスタッカ１３０が取り付けられる。
スタッカ１３０に積層されたカードが１枚づつプリンタに送り出され、後に説明する方法によりカード裏面に動画像が印刷される。
本体装置回路ボード１０には、更に図１において説明した入力手段１４の一部としての入力及び確認ボタン５、ディスプレー１５、顧客撮影用カメラ７が接続されている。更に音声案内するためにスピーカ１６も必要により本体装置回路ボード１０に接続されている。
本体装置回路ボード１０の一構成例が図３に示される。図において、図２の入力装置１４は、顧客がフレーム選択、再生動画の確認を行うための入力デバイスである図１の入力及び確認ボタン５を含む。
入力装置１４は、本体装置回路ボード１０に接続され、操作パネル４（図１参照）に配置される。入力装置１４は、更にＩ／ＯコントローラとなるＳＭＰＣ（System Manager & Peripheral Control／システムマネージャ）２４を通して本体装置回路ボード１０のＣ−ＢＵＳ５２に接続されている。このＳＭＰＣ２４は、動画カード作成装置全体のリセット管理や、入力装置１４等の外部装置とのインターフェース機能を有する。
本体装置回路ボード１０のコネクタ１００と記憶媒体の一例としてのメモリカートリッジ１１のコネクタソケット１１０が着脱自在に結合される。メモリカートリッジ１１自体の構成例が図４に示される。図４に示すようにメモリカートリッジ１１は、記憶素子として、例えばフラッシュＲＯＭ１１１を有する。
フラッシュＲＯＭ１１１には、動画カード作成を制御するプログラム、動画カードの背景となる複数のフレームに対応したパターンデータ等が記憶される。フラッシュＲＯＭ１１１のデータは本体装置回路ボード１０からのアドレス信号をアドレスデコード部１１２でデコードして得られるアドレスにより読み出される。
また、フラッシュＲＯＭ１１１に記憶されるプログラムデータはセキュリティのためにスクランブルされている。したがって、フラッシュＲＯＭ１１１から読み出されるスクランブルデータは、バス１１４を通してセキュリティチェックチップ１１３に入力する。ここでデコード（デスクランブル）されて、バス１１５に出力され、本体装置回路ボード１０に送られる。
尚、上記動画カード作成を制御するプログラム及び、複数のフレーム動画データを記憶するものとして、動画カード作成装置本体に着脱可能のメモリカートリッジの例を説明したが、本発明は、これに限定されない。
即ち、個別ＲＯＭ，ハードディスク等の本体装置に固定されるメモリデバイスを用いることも、フロッピーディスク、コンパクトディスクメモリ等のディスク記録媒体を用いることも同様に可能である。更には、有線あるいは無線通信手段を使って送られるプログラムデータを受信するように構成することも可能である。
ここで、図３に戻り更に説明する。図３において、ＣＰＵ２１、ＲＡＭ２２、ＲＯＭ２３もＳＭＰＣ２４と同様にＣ−ＢＵＳ５２に接続されている。
更に、入力手段装置１４と同じ位置づけで、撮影カメラ７により得られるアナログビデオ信号をデジタル信号に変換するアナログ／デジタル変換回路１７がＳＭＰＣ２４に接続される。
ＣＰＵ２１は、メモリカートリッジ１１内の上記フラッシュＲＯＭ１１１に格納された動画カード作成プログラムを読出し、実行するとともに動画カード作成装置全体を制御する。また、ＣＰＵ２１は、例えば３２ビットＲＩＳＣタイプの高速ＣＰＵにより構成される。
システムコントローラ２０は、ＤＭＡコントローラ（ダイナミック・メモリ・アクセス制御装置）及び割り込みコントローラ等を備え、ＣＰＵ２１のコプロセッサとしての機能を有する。
サウンドプロセッサ６０は、音声（ＰＣＭ／ＦＭ）を制御しており、Ｄ／Ａ変換器６１によりデジタル信号をアナログ信号に変換し、スピーカ１６から動画カード作成装置に必要な音声、音楽を操作者に対して表示する。
本体装置回路ボード内にあるＢ−ＢＵＳ５１には、システムコントローラ２０及びサウンドプロセッサ６０とともに、撮影された動画像信号からＣＰＵ２１の制御下で表示すべき動画像信号を切り出し、デジタル表示する制御を行う第一のビデオディスプレィプロセッサ３０（ＶＤＰ１）及び、表示される動画像に対する背景画面即ちフレーム画像の固定、背景画面の上下、左右への回転または移動等のスクロール制御を行う第二のビデオディスプレィプロセッサ４０（ＶＤＰ２）が接続される。
第一のビデオディスプレィプロセッサ３０（ＶＤＰ１）は、コマンドＲＡＭ３１及びフレームバッファメモリ３２が接続される。これら、第一のビデオディスプレィプロセッサ３０、コマンドＲＡＭ３１及びフレームバッファメモリ３２により、撮影カメラ７で撮影された顧客即ち、操作者の動画像を表示するための画像処理を行う第一の画像情報処理部を構成する。
尚、ここで動画像とは本発明の目的において、後に説明するように複数の静止画を連続して並べたものをいう（実施例として、６駒の静止画を並べている）。
更に、第一のビデオディスプレィプロセッサ３０は、ＩＣチップとして半導体チップ上に形成されている。第一のビデオディスプレィプロセッサ３０には、コマンドＲＡＭ３１（一例として、ＤＲＡＭで構成される）と、２面のフレームバッファメモリ３２（例えば、それぞれ２Ｍビットのメモリ容量を有する）が接続されている。
コマンドＲＡＭ３１にはＣＰＵ２１からのコマンドデータ及び撮影カメラ７で撮影され、上記６駒に切り出された動画像データが格納される。ここで顧客画像の撮影、撮影された顧客画像信号から動画像として６駒分の切り出し、更に確認のための動画像の再生等の動作は、先に説明した記憶媒体としてのメモリカートリッジ１１のフラッシュＲＯＭ１１１に格納されている動画カード作成プログラムにしたがって、ＣＰＵ２１の制御により実行される。
即ち、動画カード作成プログラム中のコマンドがＲＡＭ２２に一時格納され、動画カード作成の工程にしたがいＣＰＵ２１の制御によりコマンドＲＡＭ３１に転送される。
更に、フレームバッファ３２には、これらコマンドＲＡＭ３１に転送されたデータに従って、６駒分の切り出された動画像データが展開される。次に第一のビデオディスプレィプロセッサ３０は、フレームバッファ３２に書き込んだ１フレーム分の画像データを順次読出し、この画像データを第二のビデオディスプレィプロセッサ４０に供給する。
第二のビデオディスプレィプロセッサ４０は、ＶＲＡＭ４１とカラーＲＡＭ４２とともに背景画となるフレーム画面の画像処理を行う第二の画像情報処理部を構成する。
第二のビデオディスプレィプロセッサ４０は、第一のビデオディスプレィプロセッサ３０と同様に半導体チップ上に形成されている。この第二のビデオディスプレィプロセッサ４０には、画像データを生成するためのデータが設定される図示しないレジスタが内蔵されるとともに、カラーコードが記録された、所定メモリ容量のカラーＲＡＭ４２と、ＶＲＡＭ４１が接続されている。
第二のビデオディスプレィプロセッサ４０は、ＶＲＡＭ４１に格納されたデータを先に説明した図示しない内蔵されたレジスタの設定に従って読み出し、フレーム画面の画像データレジスタの設定に従って、優先度を決め、画像データを生成する。
生成された画像表示データは、表示カラーデータに変換され、Ｄ／Ａ変換器４３を通して、アナログ信号に変換されて、ディスプレー１５に出力される。ここで画像表示データは、システムコントローラ２０を通してＶＲＡＭ４１とカラーＲＡＭ４２に設定される。かかるＶＲＡＭ４１とカラーＲＡＭ４２に設定されるフレーム画像表示のためのデータもメモリカートリッジ１１のフラッシュＲＯＭ１１１に格納されているものである。
ＶＲＡＭ４１は、同じ容量を有するフレームに２分割されている。各フレームにはそれぞれ、縦横８×８画素のセルのデータであるパターンデータと、セルをｍ×ｎセル分敷き詰めて１フレーム分の背景画を構成する時、セルの敷き詰め位置に対応してカラーＲＡＭ４２に定義されるどのセルを使用するかを指示するパターンネームデータ（カラーＲＡＭ４２に格納されるパターンデータの格納位置を示すアドレス）が格納される。
したがって、第一のビデオディスプレィプロッセサ３０からの動画像としての前景画面データと第二のビデオディスプレィプロッセサ４０からのフレーム画面としての背景画面データとが合成されて、前記の画像表示データとなる。
ここで、本発明の動画カード作成装置１に使用されるカード及び動画像プリンタ１３について説明する。
図５Ａ乃至５Ｃは、本発明の動画カード作成装置１に使用されるカードによる動画像表示の原理を説明する図である。図５Ａは、カード状シートの一部拡大図である。カード状シートは、例えば透明プラスチック板をカード状に形成したものであり、表面に短冊状にレンチキュラーレンズ８０が形成されている。裏面８１は、印刷可能に平面状とされている。
図５Ｂは、カード状シートの断面図である。一本の短冊状レンチキュラーレンズ８０の幅８２に対して、実施例として６分割している。この６分割された領域をそれぞれＡ乃至Ｆとすると、図５Ｃに示すように、異なる視点方向からそれぞれＡ乃至Ｆの領域が対応して観察される。あるいは、視点を固定してカードの上下端を反対方向に動かすことにより、Ａ乃至Ｆの領域が順次異なって観察出来る。
図６Ａ乃至６Ｄに示すように、簡単化のために順次変化する３駒の像（図６Ａ乃至６Ｃ）を考える。３駒の像（図６Ａ乃至６Ｃ）は、文字“Ａ”を徐々に変形したものである。それぞれの駒を短冊状に複数に分割すると、図Ａの像は、Ａ−１乃至Ａ−ｉに分割され、図Ｂの像は、Ｂ−１乃至Ｂ−ｉに分割され、図Ｃの像は、Ｃ−１乃至Ｃ−ｉに分割される。
次いで、図６Ｄに示すように、３駒の像（図６Ａ乃至６Ｃ）のそれぞれの第１番目の短冊から順に、Ａ−１、Ｂ−１，Ｃ−１、次いで第２番目の短冊Ａ−２、Ｂ−２，Ｃ−２，・・・そして、第ｎ番目の短冊Ａ−ｎ、Ｂ−ｎ，Ｃ−ｎの順に並べてカード状シートの裏面に印刷する。
これにより、上記図５Ａ乃至５Ｃにより説明したように、視点を変え、あるいはカードの上下端を反対方向に動かすことにより、３駒の像（図６Ａ乃至６Ｃ）が順次観察される。従って、観察者は、図６Ａから図６Ｃに、あるいは反対に図６Ｃから図６Ａに変化する動画像として観察することが出来る。
図７Ａ、７Ｂは、本発明の動画カード作成装置に使用されるプリンタ１３の一例の概略図である。図７Ａが横面図であり、図７Ｂが上面図である。ネジ軸１３３の回転により軸方向に移動される駆動台１３１に平面プラテン１３４が載置され、その上にカード状シートであるレンチキュラーシート１３５が、裏面を上方にして置かれる。
レンチキュラーシート１３５は、規制板１３６により平面プラテン１３４上に正しく位置決めされる。更に平面プラテン１３４上に置かれたレンチキュラーシート１３５の裏面に接するように、サーマルヘッド１３８が対向される。サーマルヘッド１３８とレンチキュラーシート１３５の間にインクシート１３７が介在される。
サーマルヘッド１３８は、図７Ｂに示すように、発熱体１３９を有し、印刷すべき画像データに対応して出力される出力信号が印加される時発熱する。インクシート１３７は、昇華型熱転写インキを使用したシートである。従って、インクシート１３７の発熱体１３９により熱せられた部分のインキがレンチキュラーシート１３５に転写されて印刷される。
図８は、かかるインクの転写の様子を示す図である。プリンタ１３のモーター１３２の回転により、ネジ軸１３３が回転し、駆動台１３１がネジ軸１３３に沿って移動する。従って、図８の矢印で示すようにサーマルヘッド１３８に対し、レンチキュラーシート１３５が相対的に移動する。
これにより、順次インクシート１３７からインクが転写され、レンチキュラーシート１３５に記録ドット１４０が印刷され、画像が形成される。
図８では、解像度を上げるために記録ドット１４０が千鳥状に形成されるようにサーマルヘッド１３８に印刷すべき画像に対応する信号が印加される。
更に、上記の実施の形態では、レンチキュラーシート１３５の裏面に直接図７Ａに示すプリンタ１３により印刷されるものである。しかし、本発明により作成されるカードは、かかる実施の形態に限定されない。
即ち、レンチキュラーシート１３５の裏面に印刷する代わりに、レンチキュラーシート１３５とは別の所定の用紙に上記したように複数駒の像を短冊状に合成して印刷し、印刷された用紙をレンチキュラーシート１３５の裏面に張り合わせるようにして動画カードを作成することも可能である。
次に、上記のような本体装置構成により実行される本発明の動画カード作成装置の動作の一例について以下に説明する。図９は、本発明の動画カード作成装置の動作例フローである。
かかる動作フローの内容は、記憶媒体としてのメモリカートリッジ１１に内蔵されるフラッシュＲＯＭ１１１に格納されるプログラムデータに従いＣＰＵ２１により実行制御される。
動画カード作成装置は、動画カード作成が行われない間は、繰り返し宣伝（アドバタイズ）画像がディスプレー画面３に表示される（ステップＳ１）。次いで、顧客即ち、操作者により所定金額のコインがコイン挿入口６に投入されたことを検知する（ステップＳ２）と、宣伝（アドバタイズ）画面は、動画カードのフレーム選択画面に変わる（ステップＳ３）。
ここで動画カードのフレーム選択画面を表示する際、ＣＰＵ２１は、メモリカートリッジ１１のフラッシュＲＯＭ１１１からフレーム画像データを読み取り先に図３に関連して説明したように、第２のビデオプロセッサ４０に接続されるビデオＲＡＭ４１に送りビデオプロセッサ４０の制御の下に、複数のフレームのうち１のフレームの選択が可能のようにディスプレー画面３に表示が行われる。この時の表示の一例が図１０に示される。
入力及び確認ボタン５の入力により、画面上の左右矢印方向にスクロールしてフレーム画像の複数のサンプルが表示される。即ち、先に説明した第２のビデオプロセッサ４０でスクロール表示制御される背景画像として、フレームのサンプル画像１０１がスクロール表示される。
更に、この画面上で動画カードの複数のフレームのサンプル画像１０１のうち何れかのフレームを選択するように操作者に促すメッセージ１０２が必要により表示される。
尚、図１０において、数字１０３は、表示されるフレームサンプル選択のための残時間（秒）を示す時計であり、この表示により操作者に選択入力時間に制限があることを意識させる。したがって、動画カード作成完了までの時間の短縮により、装置稼動率を上げることが期待できる。
ここで、本発明において動画カードのフレームは、顧客即ち、操作者を撮影した動画像をはめ込めるための背景用動画像をいう。たとえば、図１１Ａ乃至１１Ｆ及び、図１２Ａ乃至１２Ｆが動画カード作成過程において選択され、ディスプレー画面３に表示されるフレーム用背景動画像の例である。
図１１Ａ乃至１１Ｆのフレーム用背景動画像は、ボクシンググローブ１０１がスプリングにより伸び、操作者を撮影した動画像１０２ａ乃至ｆの顔を打ち、跳ね返る様子を表わす動画を想定したものである。更に、図１２Ａ乃至１２Ｆは、背景動画像として劇場の幕が上げられる画面をフレームとし、そこに操作者自身を撮影した動画像１０２ａ乃至ｆを順次に表わす画面を想定している。
操作者は、かかるフレームの一つを入力及び確認ボタン５により選択する。上記のようにフレームが選択されると、図１３に示すように選択されたフレームの動画像（実施例として図１１Ａ乃至１１Ｆ、図１２Ａ乃至１２Ｆのように６駒で構成される）がループして再生される。これにより、操作者は、選択したフレームの動画像を確認することができる。
図９のフロー図に戻り、ステップＳ３でフレームの選択が終わると、顧客即ち操作者の動画像の取り込みを指示する画面が表示される（ステップＳ４）。かかる動画像の取り込みを指示する画面の例が図１４Ａ乃至１４Ｃに示される。動画像の取り込みを指示する画面は、以下に説明する三つの方式例に対応して図１４Ａ、図１４Ｂ及び図１４Ｃのように異なる。
図１４Ａの表示は、一定の撮影時間に連続して撮影された画像から操作者の設定により６駒を取り込む範囲を決める方式を採用する場合である。
図１４Ｂの表示は、一駒づつ操作者がポーズを作り、シャッターボタン（入力及び確認ボタン５または、ポーズをする操作者の操作を容易とすべく本体装置から延びた図示しない入力ボタン即ち、本体装置下部に付属的に設けたペダルあるいは本体装置からケーブルで引き出された手持ち可能のスイッチ）を押す毎に撮影して６駒の像を得る場合に表示される。
更に、図１４Ｃの表示は、フレームのアニメーションが変化するスピード（例えば図１１Ａ乃至１１Ｆに表示される６駒のボクシンググローブの動き）の一連の動きとともに、操作者を撮影した撮影像が合成されて、画面に表示される場合に表示される。
上記いずれの取り込み方式の場合も、先に説明した選択されたフレームの動画が図１３のループ再生により確認出来るので、上記のように操作者はこれに合わせてポーズを作ることが可能である。
図１５Ａ、１５Ｂは、図１４Ａの表示に対応する取り込み方式を説明する図である。図１５Ａでは、選択したフレーム越しに（フレーム画像の背後に）、撮影カメラ７で撮影された映像１７０がリアルタイムにディスプレー画面３に表示される。同時に、ディスプレー画面３には、撮影残り時間を示す帯グラフ１７１が表示される。
この撮影残り時間の表示で操作者は、ポーズを変化させることが出来る。図１５Ｂで、撮影時間が終了すると撮影終了のメッセージがディスプレー画面３に表示される。
次に、図９のフローにおいて、画像の取り込み確認が行われ（ステップＳ５）、撮影された画像１８０がディスプレー画面３に再生される。この時、図１６Ａに示すように、再度の撮影を希望するか否かの問い合わせが表示され、再度の撮影を希望するを選択すると画像取り込み（ステップＳ４）に戻る（ステップＳ６）。尚、次の再生確認の際は、プログラムに従って再撮影の希望の問い合わせ表示を行わないようにする制御が可能である。
更に、ステップＳ５において、図１６Ｂに示すように、一定の撮影時間で撮影された画像から取り込みたい範囲の指定が行われる。即ち、ディスプレー画面３に示される時間帯１８３の駒数位置表示バー１８４を左右に移動して、撮影された時間中で６駒分に相当する時間幅の位置を任意に移動することが出来る。この駒数位置表示バー１８３の移動は、入力及び確認ボタン５により行われる。
かかる６駒分に相当する時間幅の位置の任意移動について、図１７Ａ乃至１７Ｄにより更に詳細に説明する。図１７Ａは、図１６Ｂを再表示したものであり、図１７Ｂは、駒数位置表示バー１８３を拡大して示している。
所定の撮影時間を示す時間帯１８３中の６駒分の駒数位置表示バー１８４を図１７Ｃ、１７Ｄのように左右に移動することにより、所定の撮影時間中の任意の連続する６駒を特定して、操作者の気にいる動画像を選択することができる。
かかる連続する６駒が選択されると、ＣＰＵ２１の制御の下に、第１のＶＤＰ３０のフレームバッファ３２に当該選択された６駒の動画像データが展開され、第２のＶＤＰ４０により先に選択されたフレームデータと合成されて、プリンタ１３に送られる。プリンタ１３では、先に図６Ａ乃至６Ｄに説明したように、６駒分の画像データが短冊状に交互に並べられる。そして、図７Ａ、７Ｂ及び図８について説明したプリンタの機能により、レンチキュラーシート１３５に画像が印刷される（ステップＳ７：図９）。
印刷が完了すると、完成された動画カードが装置の動画カード取り出し口８に出力される（ステップＳ８）。
なお、上記操作者による６駒の取り込みにおいて、図１７Ａ乃至１７Ｄに示すように連続して６駒を取り込む方法以外に、次の方法も可能である。
第一は、操作者が所定の撮影時間を示す時間帯１８３中でスタートとストップフレーム位置をシャッターボタン即ち、入力ボタン５を押下して特定する。ＣＰＵ２１は、このスタートとストップフレーム位置で特定される期間中を６等分して、６つの取り込む駒フレームを求める方法である。
第２は、操作者が所定の撮影時間を示す時間帯１８３中の任意の位置の駒をシャッターボタン即ち、入力ボタン５により特定することにより６つの取り込む駒フレームを求める方法である。
一方、図１８は、図１４Ｂの表示に対応する取り込み方式を採用する場合の画像取り込みを説明する図である。図９の動作フローの（ステップＳ４）において、操作者は、６駒分のポーズの都度シャッターボタンを押下する。その際、選択したフレームの各駒２００に対応して、ディスプレー画面３に表示される自己のポーズ２０１を確認しながらシャッターボタン押すことが出来る（ステップＳ２００）。
尚、図１８において、ディスプレー画面に表示される数字２０３は、６回に分けて１駒づつ撮影される６駒のうちの何番目の駒であるかを確認のために表示される。
この６駒の撮影が終わると、撮影終了のメッセージが表示される（ステップＳ２０１）。更に、撮影された６駒のポーズにより構成される取り込み動画像の確認が行われる（図９：ステップＳ５）。この時必要により、取り込み繰り返し回数を３回まで可能とする場合、上記ステップＳ４の取り込みを繰り返した時、各々を比較して最終取り込み動画像を選択確認することが出来る（ステップＳ２０２）。更に、図１４Ｃの場合は、上記したように、一連の動きを例えば３回（各回ごとに一連の撮像とともに３秒前、２秒前、１秒前とカウントダウンされる。）繰り返し、この間に操作者は、撮影の本番に備えて動きのポーズを取る練習をすることができる。
従って、撮影本番では、操作者は例えば、図１１Ａ乃至１１Ｆのフレーム画像に対し、ボクシンググローブの動きに合わせて、あたかも実際に自分の顔がボクシンググローブに打たれているようにタイミングをあわせて撮影することができる。
尚、上記実施の形態の説明において、予め選択されるフレーム画像と操作者等の人物の撮影像との合成において、人物の撮影の際、人物の背景壁を青色等にして撮影した後合成することにより、クロマキー合成を適用することも可能である。
更に、本体装置１の図示しない位置に、デジタルカメラ等のフィルムメモリの挿入端子を設けることにより、フィルムメモリに記憶された画像のデジタルデータを、撮影カメラ７による撮影像の代わりに図３のＡ／Ｄ変換回路の出力位置に入力することも可能である。
図１９は、本発明の動画カード作成装置の第２の実施の形態の外観斜視図である。図２０は、動画カードの実施例平面図である。動画カード作成装置本体１は縦型筐体の正面にディスプレイ画面３を配置し、その下方に操作パネル４を有している。操作パネル４上には動画カード作成装置を動作させるための対価である硬貨を投入するコイン挿入口６、及び動画カードを作成するための操作を行うための操作ボタン５や操作レバー５０が備えられている。
更に、ディスプレイ画面３の内側内部に撮影カメラ７が手前に向けて取り付けられている。筐体前面下方には作成された図２０に一例として示す動画カード２００を排出し、顧客が手を差し伸べて動画カード２００を取り出すための動画カード取り出し口８が設けられている。
かかる構成は、図１の実施の形態と実質同様である。異なる特徴は、図１９の実施の形態では、動画カード２００の特性を考慮して、動画カード２００に切り込みを入れるためのカード挿入口９が設けられている点である。
動画カード２００は、実施例としてテレフォンカード大の大きさであり、厚さは１ｍｍ厚程のＡＢＳ樹脂で出来ている。動画カード２００の表面は、透明なレンチキュラーレンズ２０１となっており、その裏面には４つに分割された区域のそれぞれに先に説明した顧客の撮影した像、即ち背景動画を含む自画像２０２等が複数プリントされている。したがって、このプリント像をレンチキュラーレンズを透過して、動画的に見ることができる。
ここで、１枚の動画カード２００には、多くの場合は、同一の複数の撮影像小片２０２が印刷される。したがって、動画カード取り出し口８から動画カード２００の排出を受けた顧客が、動画カード２００を個々の撮影像小片２０２対応に、小さなシートに分割して複数のシールとして得ることができる。しかし、先に説明したように、動画カード２００が１ｍｍ厚程を有しているので、分割は容易でない。また、顧客の選択により、動画カード２００に１つの大きな画像を印刷することも、複数の小さな画像を印刷することもオプションとして、設定することは、動画カード作成プログラムの設定により可能である。
したがって、本発明の第２の実施の形態では、分割が容易なように動画カード２００に切り込みを入れて顧客に提供するサービスを行えるように、切り込み形成装置を装置本体１内に備えることを特徴とする。
したがって、顧客の任意により動画カード２００に切り込みを入れるためのカード挿入口９を、動画カード取り出し口８と共に、装置本体１の正面側に設けている。このカード挿入口９に動画カードを挿入することにより、後に説明するように、動画カード２００に切り込みが入れられ、再び動画カード２００が排出される。これにより、複数のシールに分割が容易となる。
図２１に図１９の動画カード作成装置の内部構成例のブロック図を示す。基本的構成は、図２に説明したと同様である。異なる特徴は、本体装置回路ボード１０に動画カード２００を複数のシールに分割して切り離すための切り込みを入れる切り込み形成器２７が接続されている点にある。
かかる切り込み形成器２７により、図２２に平面図として示すように、切り込み２０３を入れた動画カード２００が得られる。図２２において、動画カード２００の表面は透明なレンチキュラーレンズ２０１を形成し、その裏面には４つに分割された区域のそれぞれに、図６Ａ乃至図６Ｄに説明したように作成された顧客の自画像等の撮影像小片２０２が印刷されている。
この撮影像小片２０２の回りに角が丸みを帯びた略長方形の切り込み２０３が形成されている。図２３は、切り込み動画カードから撮影像小片２０２の切り取りを説明する図である。動画カードの実施例として４つに区割りされた小像の撮影像小片２０２の部分を手に持ち、一方、動画カード２００の縁を他方の手に持ちながら、撮影像小片２０２を捻ると、この切り込み２０３の接続が切り取られる。このように、撮影像小片２０２の部分を破損することなく、容易に動画カード２００の枠体２０４と撮影像小片２０２とを分離することができる。
ここで、上記の切り込み２０３は、動画カード２００の表裏両面側から同一位置に形成するか、表裏面のいずれか一面側から形成する事が可能である。表裏両面側から同一位置に形成する場合、動画カード２００の厚さ約１ｍｍに対して、例えば、表裏両面から中間部で０．１ｍｍ程残して、切り込み２０３の溝が形成される。
図２４は、動画カード２００に切り込み２０３を入れるための切り込み形成装置２７の切り込み形成機能の一例を示す概略側面図であり、特に、動画カード２００の表裏面側から同一位置に切り込み２０３を形成する切り込み形成部の概略側面図である。
方形平板７０と方形押し板９０の間に挟まれる状態で、方形下刃板７１と方形上刃板９１が向き合っている。更に、方形下刃板７１と方形上刃板９１のそれぞれには対向する下刃７１ａ、上刃９１ａを有している。方形押し板９０には押体９２が結合し、この押体９２に油圧シリンダ９３により押圧が与えられる。
したがって、上刃９１ａと下刃７１ａとの間に動画カード２００が置かれる時、油圧シリンダ９３による押圧により押体９２は、上刃９１ａを下刃７１ａに向けて押し下げる。これにより、図２５に示すように、動画カード２００には、上刃９１ａと下刃７１ａにより、動画カード２００の厚みの中間部を約０．１ｍｍ残し、その表裏両面より切り込み２０３が形成される。
図２６は、動画カード２００に切り込み２０３を入れるための切り込み形成装置２７の切り込み形成の他の機能例を示す概略側面図であり、特に、動画カード２００の表裏面のいずれか一方から切り込み２０３を形成する切り込み形成部の概略側面図である。
図２４の実施例と同様に、方形平板７０と方形押し板９０を有し、それらに挟まれる状態で、方形上刃板９１を有し、図２４の実施例の方形下刃板７１に代わり、刃スペーサ７２が方形平板７０上に設けられている。刃スペーサ７２は、実施例として、６６ナイロンを材料にして形成されるスペーサブロックである。
したがって、上刃９１ａと刃スペーサ７２との間に動画カード２００が置かれる時、油圧シリンダ９３による押圧により押体９２は、上刃９１ａを刃スペーサ７２に向けて押し下げる。これにより、図２７に示すように、動画カード２００には、上刃９１ａにより、動画カード２００の厚みの下側を約０．１ｍｍ残し、その表面より切り込み２０３が形成される。
上記図２４、図２６において、切り込み２０３により動画カード２００の残される厚み約０．１ｍｍは、図２４、図２６では図示しないストッパーが当接することにより上刃９１ａと下刃７１ａの間（図２４の場合）並びに、上刃９１ａと刃スペーサ７２の間（図２６の場合）が、それ以上接近しないように方形押し板９０の押し下げ移動が制限されることにより形成される。
図２８は、かかる切り込み形成装置の制御系の一実施例ブロック図である。本体装置回路ボード１０に接続された切込制御部１９０には、カード挿入口９から挿入される動画カードが乗せられたカードトレイを、図２４、図２６に示した切り込み形成部に固定するための、トレイロック部１９１が接続されている。
トレイロック部１９１は、ソレノイドコイルの動作によりカードトレイの動きをロックしたり、解除したりする機能部である。さらに切込制御部１９０にはカードトレイが切り込み形成部に位置しているかどうかを検出するトレイ検出センサ１９２からの信号が接続されている。
切込制御部１９０は、更に油圧系統の動作を制御する油圧ポンプ駆動制御部１９３が接続されている。この油圧ポンプ駆動制御部１９３により油圧ポンプのモータの正回転、逆回転を制御する。これにより油圧シリンダ９３の動作を制御し、先に説明したように図２５の実施例では、方形上刃板９１を方形下刃板７１に向けて、下降動作させる。
油圧シリンダ９３にはシリンダが最も縮んでいることを検出する上限センサー９３ａが設けてあり、切込制御部１９０に検出信号を送り、それ以上の方形上刃板９１に対する押圧付与が行われないように、油圧シリンダ９３に帰還制御が行われる。なお、かかる図２８の切り込み形成装置の制御系の構成は、図２６の片刃による切り込み形成の場合も同様であることは、容易に理解できる。
図２９は、切り込み形成装置の動作フローチャートを示し、図２８の切り込み形成装置の制御系のブロック図を引用しつつ説明する。先ず、顧客は、動画カード作成装置で、自画像の撮影を完了し、操作パネル４の操作ボタン５で、撮影像を動画カード２００に４つの同一撮影像小片を印刷する選択を行う。
この選択をきっかけに、撮影像が４つの撮影像小片に、印刷された動画カード２００が、図１９に示す動画カード取出口８に排出される（ステップ１１）。この状態ではカードトレイはカード挿入口９の奥に位置しており、切り込み制御部１９０からトレイロック部１９１でカードトレイのロック解除が行われる。カードトレイにはコンストンバネが前方向に付勢しているのでロック解除により、カード挿入口９にカードトレイが突出する（ステップ１２）。
かかるカード挿入口９とカードトレイ７００の関係が、カード挿入口９のみ外観表示する図３０Ａ乃至３０Ｃにより理解できる。図３０Ａは、カードトレイカード挿入口９の開口面９ａの奥に位置する凸形状の開口部９ｂの内部にカードトレイ７００が収納されている状態即ち、カードトレイ７００が切り込み形成装置の切り込み形成部に存在する状態を示している。
図３０Ｂは、上記カードトレイ７００のロック解除が行われる時、カード挿入口９にカードトレイ７００が突出している状態を示している。カードトレイ７００は、方形の開口７０２の開口縁７０１と、カードトレイ７００の表面との間の段差により、動画カード２００のカード載置部７１０を形成し、的確に動画カード２００載置することが可能である。
図３０Ｃは、動画カード２００をカードトレイ７００のカード載置部７１０に置かれた状態を示し、カード載置部７０２の手前は、Ｕ字開口７０３が形成されている。これにより、顧客が動画カード２００を取り出す際に、指をＵ字開口７０３に入れて動画カード２００の端を持って、カードトレイ７１から容易に取りはずすことが可能である。
図２９に戻り説明すると、カードトレイ７００のロック解除が行われ（ステップＳ１２）、カード挿入口９にカードトレイ７００が突出している状態において、デイスプレイ１５の画面上に、動画カード２００を動画カード取出口８から取り出して、カード挿入口９に突出したカードトレイ７００のカード載置部７１０に載せるべく案内表示が行われる（ステップ１３）。
顧客がカードトレイ７００のカード載置部７１０に動画カード２００を載置して、カードトレイ７００の前端部７０４をカード挿入口９の開口面９ａに向けて押すと、カードトレイ７００は、図３０Ａ乃至３０Ｃには図示されていないコンストンバネの付勢に打ち勝って、カード挿入口９の開口部９ｂの内部に押込まれる。
カードトレイ７００がトレイロック部１９１でロックされると、トレイ検出センサ１９２がこれを検出して、検出信号を切込制御部１９０に送る。これにより切込制御部１９０は、カードトレイ７００が切り込み形成部に戻ったことを検出する（ステップ１４）。もしカードトレイ７００が戻ったことを検出できない場合には、ステップ１３の表示を継続する。
カードトレイ７００が戻ったことを検出すると、ディスプレイ１５の表示面３には切り込みを開始するボタンを押す旨の表示が行われる。これにより、動画カードの４片の分割をすることを顧客に分からせる（ステップ１５）。
顧客が、切り込みを形成する意思表示として入力手段１４にあるボタン５を押下すると（ステップ１６）、その押下により発生する信号は本体装置回路ボード１０を通して切込制御部１９０に入力し、切込制御部１９０により、油圧ポンプ駆動制御部１９３に駆動信号を送る。ここで、顧客がボタン５を押さない状態でいると、一定時間経過までボタン５を押下を促す表示を継続する（ステップ１７）。
一定時間経過すると、顧客は動画カード２００に切り込みを入れる意思がないと判断して、トレイロックソレノイドを解除する。これによりカードトレイ７００がカード挿入口９に戻り、動画カード２００を返却して処理を終了する（ステップ２３）。
油圧ポンプ駆動制御部１９３では油圧ポンプを正回転させて油圧シリンダ９３を下降させる（ステップ１８）。この動作は一定時間経過まで継続される（ステップ１９）。これにより上刃９１ａを，下刃７１ａ又は，刃スペーサ７２に近づけることができる。
一定時間中、油圧シリンダ９３を下降させると、動画カード２００は上刃９１ａと下刃７１ａ（図２４の場合）又は、上刃９１ａと刃スペーサ７（図２６の場合）に押圧される。最大押圧７０ｋｇ／ｃｍ2で挟まれ、動画カード２００には切り込み２０３が、上下両面（図２４の場合）からあるいは、上面（図２６の場合）から形成される。
ステップ１９での一定時間経過後に油圧ポンプ駆動制御部１９３は、油圧ポンプを逆回転させ、シリンダ９３を上昇させる（ステップ２０）。油圧ポンプの逆回転は上限センサ９３ａがシリンダ９３の上限を検出するまで行われる（ステップ２１）。したがって、上刃９１ａが上限まで戻り、油圧ポンプが停止される（ステップ２２）。
次に一連の動画カード２００への切り込み２０３が形成の完了すると、切込制御部１９０は、トレイロック部１９１を解除し、ソレノイドコイルに取付られた係止爪をカードトレイ７００から外し、カードトレイ７００をコンストンバネの付勢力でカード挿入口９に，図３０Ｃに示す如く突出させる（ステップ２３）。
したがって、顧客は、カードトレイ７００のカード載置部７０２から切り込み２０３の形成された動画カードを取り出して、切り込み形成装置の一連の動作を終える。
次に、図３１は、動画カード作成装置の装置本体１から取り出した状態の切り込み形成装置２７であって、図２４の実施の形態に対応する実施例機構の一部簡略された外観斜視図である。さらに、図３２乃至図３４は、図３１の実施例機構のそれぞれ側面図、上面図及び前面図である。
切り込み形成装置は、動画カード作成装置本体１内部で、カード挿入口９の裏側に設けられている。カード挿入口９の奥壁の開口面９ａの下方には凸字を横長にして短矩にした形状の開口部９ｂが設けてある（図３０Ａ参照）。図３０Ｂ、３０Ｃに示すように、この開口部９ｂから長方形のカードトレイ７００が装置本体１の手前方向に水平に移動可能である。
カードトレイ７００には方形の開口７０２が設けてあり、動画カード２００を載置可能に、上側が動画カード２００の外寸法とほぼ同じで、開口下側は動画カード２００の外寸法よりも小さい開口縁７０１が設けられ、カード載置部７１０を構成している。
したがって、カードトレイ７００は、その表面と開口縁７０１との間の段差により、動画カード２００をカード載置部７１０に的確に載置することが可能である。
さらにカード載置部７１０の手前は、Ｕ字開口７０３が形成されている。これにより、顧客が動画カード２００を取り出す際に、指を入れて動画カード２００の端を持ってカードトレイ７００から取りはずすことが容易である。
図３２を参照すると、切り込み形成装置２７は、基台８０の奥側に、動画カード２００に切込みを入れる切込み作成部を有する。切込み作成部は、カードトレイ７００のカード載置部７１０に置かれた動画カード２００に、上下両面から切込みを形成するための上刃９１ａ及び下刃７１ａを有する。したがって、切込みを形成する際は、カードトレイ７００の前端面部７０４がカード挿入口９の開口部９ｂに一致するまでカードトレイ７００を内部後方に移動した状態にされる。
切込み作成部は、基台８０に固定した方形平板７０の四角に支柱９４を立て、支柱９４には押しバネ９５が巻装されている。その支柱９４で囲まれた範囲に方形下刃板７１が固定されている。
方形下刃板７１の四角には支柱９６が立ててある。方形下刃板７１には、実施例として動画カード２００に印刷された４つの撮像小片に対応して、４つの方形状の下刃７１ａが取り付けてある。
図３１では、対応する上刃９１ａは、隠されて見えていない。すなわち、上刃側は、方形平板７０に対応する方形押板９０が設けられ、その四角には支柱９４が貫通しており、支柱９４から方形押板９０が抜けないように上面をＥワッシャ９０ａで止めてある。
方形押板９０は、四角に支柱９４が貫通しており、且つ支柱９４に巻装された押しバネ９５で常に上方向に付勢されている。したがって、方形押板９０は支柱９４を摺動して上下移動が可能である。
次に、方形下刃板７１にも四角に支柱９６が立設されており、上刃側の方形押板９０の下側に方形上刃板９１が取り付けてあり、方形上刃板９１には、方形下刃板７１に対応して支柱９６が貫通している。これにより、方形上刃板９１は垂直に方形下板７１に対面して押し下げられることが可能である。
また、方形押板９０の両側面にはストッパー９１ｂが設けられている。ストッパー９１ｂに対応する方形平板７０の両側面にはストッパー受体７１ｂが固着されている。このストッパー受体７１ａとストッパー９１ｂが当接すると、方形上刃板９１と方形下刃板７１にそれぞれ設けた上刃９１ａと下刃７１ａ間にわずかな隙間を開けて対峙し、刃同志が当接することがないよう構成されている。
さらに方形押板９０の真上には油圧シリンダ９３が真下に向けてブラケット９７に取り付けられ、ブラケット９７は支柱９８を介して基台８０に取り付けられており、油圧シリンダ９３の先には押体９２が設けられ、方形押板９０の上面に接している。方形押板９０は、押しバネ９５により常に上方向に付勢されているので、常に押体９２に当接している。
油圧シリンダ９３の動力として基台８０には略円筒形の油圧ポンプ１９４が防振ゴム１９４ａを介して取り付けられている。油圧ポンプ１９４の作動により油圧シリンダ９３を動作させている。油圧ポンプ１９４には図示しないモータが内蔵されており、モータを正逆回転制御することにより、図示しない配管を通して油圧シリンダ９３のシリンダを伸び縮みさせる制御をする。
油圧シリンダ９３にはシリンダの縮み限度を検出する上限センサ９３ａが取付けてあり、油圧シリンダ９３が最も縮んだ時を検出し、検出信号を出力する。
カードトレイ７００は、上記した上刃９１ａと下刃７１ａの間を水平にカード挿入口９から装置本体１の奥側に平行移動する。カードトレイ７００の後端にはコンストンバネ７０６の一端が取り付けられておりカードトレイ７００を前方向に付勢している。またカードトレイ７００の後端には係止部７０５が設けられている。
カードトレイ７００の前端面部７０４が開口部９ｂに一致する位置でカードトレイ７００の前後の動きをロックするソレノイドコイル８１が、切り込み形成部の奥側のブラケッ９７に取付けられてある。したがって、ソレノイドコイル８１に通電すると、カードトレイ７００の係止部７０５に係合し、カードトレイ７００をロックしていた、ソレノイドコイル８１により制御される爪が外れる。
これによりカードトレイ７００のロックが外れ、カードトレイ７００の後端に取り付けてあるコンストンバネ７０６により、カードトレイ７００は、開口部９ｂからカード挿入口９へ突出する。
カードトレイ７００は、カードトレイ７００の両側面を保持する摺動保持部材７０７によって前後方向に摺動可能に取りけられ、さらにカードトレイ７００自体を上方向にわずかに付勢している。
カードトレイ７００は、摺動保持部材７０７によって上方向にわずかに付勢されていることにより、切り込み形成部において、方形上刃板９１の上刃９１ａがカード載置部７１０に置かれた動画カード２００を押し下げた場合、この押し下げに応じて、わずかにカードトレイ７００自体も同時に押し下げられる。
したがって、カードトレイ７００に載置された動画カード２００は、上刃３２ａの降下に伴い下方に押され、動画カード２００の下面が下刃７１ａに当接するまで、カードトレイ７００と一体に押し下げられる。
図３４は、カードトレイ７００の下方への移動を実線と一点鎖線で示している。実線はカードトレイ７００が上方位置にあり、一点鎖線は下方位置にある状態を示している。
これにより動画カード２００を切り込み形成部にセットするために、カードトレイ７００をカード挿入口９から挿入する際に、動画カード２００を上刃９１ａまたは下刃７１ａに擦ることなく挿入でき、動画カード２００に正しく切り込みを形成することができる。
図３５は、動画カード作成装置の装置本体１から取り出した状態の切り込み形成装置２７であって、図２６の実施の形態に対応する実施例機構の一部簡略された外観斜視図である。さらに、図３６は、図３５の実施例機構の上面図である。
基本的構成は、図３１の実施例機構と同様であるので、特に図３１の実施例機構と異なる特徴について説明する。
図２６の実施の形態に対応し、方形平板７０には、方形下刃板７１に代え、刃スペーサ７２を有している。さらに、油圧シリンダ９３を固定するプランジャ９７の支柱９８が、方形平板７０の四角に立てられている。さらに、支柱９８は方形押し板９０を貫通し、方形押し板９０が支柱９８を摺り、上下に移動可能にされている。
一方、図３１で、支柱９４に巻装されたスプリング９５により方形押し板９０に上向きに押し圧を与える構成は、図３５の実施例では、方形平板７０に二本のそれぞれスプリング９５が巻装された支柱９４を方形押し板９０との間に立てて同様の機能を実現している。また、方形平板７０には、ストッパ支柱７１ｂを立て、方形押し板９０の押し下げ位置を制限している。
さらに、図３５の実施例では、カードトレイ７００の構造に特徴を有する。カード載置部７１０を開口縁７０１と開口７０２で構成するのではなく、カードトレイ７００に設けた動画カード２００を収容できる収容凹部７１１としている。この収容凹部７１１の底面は、数ミリ厚のポリカーボネートのプラスチック板で構成される。
先に、図２７において、説明したように、収容凹部７１１の底面のプラスチック板が、刃スペーサ７２となり、動画カード２００が収容凹部７１１の底面のプラスチック板に乗せられる。
上刃９１ａが、動画カード２００の厚み分よりも下がり、収容凹部７１１の底面のプラスチック板に０．１〜０．３ｍｍほど切り込みが入る状態とされる。この時、動画カード２００に上刃９１ａが入ったところは、切り取られず弾性変形して、０．１ｍｍ程度の厚みで繋がった状態となる。
したがって、刃スペーサ７２である、動画カード２００が収容凹部７１１の底面のプラスチック板は、上刃９１ａによる切り込みが入れられるので、何回もの使用によって、切れ味が劣化する。かかる点を考慮して、図３５の実施例では、収容凹部７１１の底面のプラスチック板の刃スペーサ７２が交換可能に形成されている。
又、コンストンバネ７０６をカードトレイ７００の左右に一対のコンストンバネ７０６ａ、７０６ｂに置き換えている。したがって、左右側が均衡し、カードトレイ７００のスライド移動をよりスムース可能にしている。
図３６を参照すると、油圧ポンプ１９４と油圧シリンダ９３との間に圧力油の通るパイプ１９４ｂが示されている。
更に、後部に、ソレノイドコイル８１とフォトセンサ７１２の配置が示されている。ソレノイドコイル８１への通電／無通電により、その電磁力により付勢されるピンと、カードトレイ７００の後端に有る係合穴７０５との係合が制御される。ソレノイドコイル８１への通電／無通電は、カードトレイ７００の後端に有る突起部７１２ａをフォトセンサ７１２により検知することにより、カードトレイ７００が切り込み形成部に位置するか否かを検知するタイミングで行われる。
ここで、本発明に従う切り込み形成装置２７の実施例として、専ら動画カード２００に対し切り込みを形成する装置として説明したが、カードには動画ではなく、撮影像に限らずキャラクタ像を静止画として複数の小片部分に分割して印刷された場合にも、上記切り込み形成装置２７を適用可能である。
また、上記切り込み形成装置２７の実施例では、切り込みの形状を略長方形としたが、切り込み形状は丸型での楕円でもハード形でもよいのは勿論である。また本発明では、合成樹脂製の素材を用いた動画カードへの切り込みについて説明したが、厚紙製のカードの切り込みにも適用が可能である。
産業上の利用可能性
以上実施の形態に従い説明したように、本発明は、複数の動画フレームを予め設定している。その中から操作者が選択し、そこに操作者等の撮影動画像をはめ込むことが出来る。したがって、これまでの静止画のみによるシールに比べ、より興味と関心を持たせることが可能な動画カードの作成装置が提供出来る。
本発明によれば、顧客は撮影像をカードに小片に分割して印刷でき、且つ小片毎に分離し易いように切り込みを形成することが可能の切り込み形成装置及びこれを内蔵した動画カード作成装置が提供される。
上記切り込み形成装置は、一定形状のカードをカードトレイに載せることにより、予め設定された範囲をカードから分割して取り外し易いやすいように、カードに切り込みを形成することが可能である。
これにより、誰でもが容易に、印刷された画像小片に分割して、分割した小片毎に取り外し可能であり、動画カード作成装置に利用における顧客の利便を高めることが可能である。
又、上記実施の形態は、本発明の説明のためのものであり、本発明の保護の範囲は、これに限定されない。本発明の保護の範囲は、特許請求の範囲の記載により定められ、且つ特許請求の範囲の記載と均等物も本発明の保護の範囲であることは、言うまでもない。
【図１】
0004192210.tif 000002
【図２】
0004192210.tif 000003
【図３】
0004192210.tif 000004
【図４】
0004192210.tif 000005
【図５】
0004192210.tif 000006
【図６Ａ】
0004192210.tif 000007
【図６Ｂ】
0004192210.tif 000008
【図６Ｃ】
0004192210.tif 000009
【図６Ｄ】
0004192210.tif 000010
【図７Ａ】
0004192210.tif 000011
【図７Ｂ】
0004192210.tif 000012
【図８】
0004192210.tif 000013
【図９】
0004192210.tif 000014
【図１０】
0004192210.tif 000015
【図１１Ａ】
0004192210.tif 000016
【図１１Ｂ】
0004192210.tif 000017
【図１１Ｃ】
0004192210.tif 000018
【図１１Ｄ】
0004192210.tif 000019
【図１１Ｅ】
0004192210.tif 000020
【図１１Ｆ】
0004192210.tif 000021
【図１２Ａ】
0004192210.tif 000022
【図１２Ｂ】
0004192210.tif 000023
【図１２Ｃ】
0004192210.tif 000024
【図１２Ｄ】
0004192210.tif 000025
【図１２Ｅ】
0004192210.tif 000026
【図１２Ｆ】
0004192210.tif 000027
【図１３】
0004192210.tif 000028
【図１４Ａ】
0004192210.tif 000029
【図１４Ｂ】
0004192210.tif 000030
【図１４Ｃ】
0004192210.tif 000031
【図１５Ａ】
0004192210.tif 000032
【図１５Ｂ】
0004192210.tif 000033
【図１６Ａ】
0004192210.tif 000034
【図１６Ｂ】
0004192210.tif 000035
【図１７】
0004192210.tif 000036
【図１８】
0004192210.tif 000037
【図１９】
0004192210.tif 000038
【図２０】
0004192210.tif 000039
【図２１】
0004192210.tif 000040
【図２２】
0004192210.tif 000041
【図２３】
0004192210.tif 000042
【図２４】
0004192210.tif 000043
【図２５】
0004192210.tif 000044
【図２６】
0004192210.tif 000045
【図２７】
0004192210.tif 000046
【図２８】
0004192210.tif 000047
【図２９】
0004192210.tif 000048
【図３０Ａ】
0004192210.tif 000049
【図３０Ｂ】
0004192210.tif 000050
【図３０Ｃ】
0004192210.tif 000051
【図３１】
0004192210.tif 000052
【図３２】
0004192210.tif 000053
【図３３】
0004192210.tif 000054
【図３４】
0004192210.tif 000055
【図３５】
0004192210.tif 000056
【図３６】
0004192210.tif 000057